(57)【要約】【課題】  一般家庭で使用ができ、光熱費の削減及び地球温暖化の原因となっている大気への熱負荷を軽減するファンコイルを提供する。【解決手段】  一般家庭において、ファンコイルの使用ができるように、熱交換器の冷温水入り口へ接続している配管の先端に、揚水ポンプを設け、揚水ポンプは、ファンモーターと連動運転する回路を備える。熱交換器の冷温水出口から接続している配管の末端に、浴槽から水が溢れないように自動的に所定の水位で止まる装置を設ける。ファンコイルの暖房運転に必要な温水は、入浴後の浴槽の残り湯を使用する。ファンコイルの冷房運転に必要な冷水は、水道水を使用し、冷房運転に使用後の水道水は、浴槽にて再使用する。一般家庭において、貯湯タンクを設置していないので、浴槽を貯湯タンクの代わりに使用する。以上を特徴とするファンコイルである。【選択図】図５
2008202924.tif 000002
【特許請求の範囲】
【請求項１】
熱交換器の冷温水入り口へ接続している配管は、浴槽へ配管し、配管の先端に、揚水ポンプを設けたことを特徴とするファンコイル。
【請求項２】
揚水ポンプは、ファンモーターと連動運転する回路を設けたことを、特徴とするファンコイル。
【請求項３】
熱交換器の冷温水出口に接続している配管は、浴槽へ配管し、配管の末端に、浴槽から水が溢れないように、自動的に所定の水位で止まる装置を設けることを、特徴とするファンコイル。
【請求項４】
暖房運転に必要な温水は、入浴後の浴槽の残り湯を使用することを、特徴とするファンコイル。
【請求項５】
冷房運転に必要な冷水は、水道水を使用することを、特徴とするファンコイル。
【請求項６】
一般家庭において、温水を確保するための貯湯タンクを設置していないので、浴槽を貯湯タンクの代わりに使用することを、特徴とするファンコイル。
【請求項７】
冷房運転により、浴槽へ給水する水道水温を熱交換器によって上昇させることを特徴とするファンコイル。
【発明の詳細な説明】
【技術分野】
【０００１】  本発明は、一般家庭で使用ができ、光熱費の削減及び地球温暖化の原因となっている大気への熱負荷を軽減することを図ったファンコイルに関する。
【背景技術】
【０００２】  従来のファンコイルの設置場所は、オフィスビル・ホテル・工場等の大型施設において、冷房用の冷水及び暖房用の温水をつくる設備があるところに限られていました。冷房用の冷水及び暖房用の温水をつくる設備がない一般家庭では、設置されませんでした。
【発明の開示】
【発明が解決しようとする課題】
【０００３】  そのために次のような問題点があった。
（イ）一般家庭において、ファンコイルの使用ができなかった。
（ロ）ファンコイルを暖房運転するために、温水が必要である。
（ハ）ファンコイルを冷房運転するために、冷水が必要である。
（二）浴槽の湯沸かし器及びエアコンの室外機から放出される熱は、大気温度を上昇させ地球温暖化の原因の１つになっている。
（ホ）一般家庭において、温水を確保するための貯湯タンクを設置していない
本発明は、以上の問題を解決するためのものである。
【課題を解決するための手段】
【０００４】  一般家庭において、ファンコイルの使用ができるように、熱交換器の冷温水入り口へ接続している配管の先端に、揚水ポンプを設け、揚水ポンプは、ファンモーターと連動運転する回路を備える。熱交換器の冷温水出口から接続している配管の末端に、浴槽から水が溢れないように自動的に所定の水位で止まる装置を設ける。ファンコイルの暖房運転に必要な温水は、入浴後の浴槽の残り湯を使用する。  ファンコイルの冷房運転に必要な冷水は、水道水を使用し、冷房運転に使用後の水道水は、浴槽にて再使用する。一般家庭において、貯湯タンクを設置していないので、浴槽を貯湯タンクの代わりに使用する。以上を特徴とするファンコイルである。
【発明の効果】
【０００５】  ファンコイルの暖房運転に必要な温水は、入浴後の浴槽の残り湯を使用する。残り湯が冷めるまでの時間、暖房運転をすることにより、光熱費の削減及び大気への熱負荷の軽減になる。冷房運転に必要な冷水は、水道水を使用する。冷房に使用した後の水道水は浴槽へ送水する。浴槽の水位が、所定の水位になるまでの時間、水道水による冷房運転をすることにより、光熱費の削減及び大気への負荷の軽減になる。また、部屋の冷房に使用した水道水は、熱交換器によって加熱され、水道水温は上昇する。水温が上昇した水道水は、浴槽のお湯に再使用されるので、水温が上昇した分、追い炊きの光熱費の削減となり大気への熱負荷も軽減する。一般家庭において、従来使用のエアコンと比較して、本発明のファンコイルは、光熱費の削減及び地球温暖化の原因となっている大気への熱負荷を軽減する効果がある。
【発明を実施するための最良の形態】
【０００６】  以下、本発明の実施するための形態を図１〜図４に基づいて説明する。【０００７】ファンコイルは、第１図に示す構成になっている。ファンコイル本体１の内部には、熱交換器２とファンモーター３で回転するファン４があり、運転スイッチ５がある。熱交換器２は、第２図に示すような構成になっている。複数枚並設されているアルミニウムフィン６に蛇行状に貫通している伝熱管７と伝熱管７の内部に冷温水を送水するための冷温水入口８及び冷温水出口９がある。この様な構成されたファンコイルで、冷房運転において、第３図に示す工程になっている。水道蛇口１１を開くと、水道水は配管１２を通り、冷温水入口８から伝熱管７へ送水することにより、水道水は伝熱管７及びアルミニュウムフィン６を冷却する。運転スイッチ５を入れるとファンモーター３が運転してファン４が回転する。部屋の空気は、ファン４の回転により熱交換器２へ送風され、冷却した伝熱管７及びアルミニュウムフィン６に接触することにより、冷却して部屋を冷房する。冷房時間は浴槽１０において、水が溢れないように自動的に所定の水位で止まる装置であるオーバーブロー防止装置１４が作動するまでの時間である。部屋の空気とは逆に伝熱管７の内部の水道水は、部屋の空気により加熱する。加熱した水道水は、冷温水出口９から配管１３を通り、浴槽１０に溜まる。加熱した水道水が浴槽１０に溜まるので、追い焚きの光熱費の削減になる。暖房運転において、第４図に示す工程になっている。運転スイッチ５を入れると、ファンモーター３と揚水ポンプ１５は、連動運転する。揚水ポンプ１５運転により入浴後の浴槽１０の残り湯を配管１６を通って冷温水入口８から伝熱管７へ送水する。残り湯は、伝熱管７及びアルミニュウムフィン６を加熱する。ファン４の回転により、部屋の空気は熱交換器２へ送風され、加熱した伝熱管７及びアルミニュウムフィン６に接触することにより、部屋の空気は暖まり、暖房する。残り湯は冷温水出口９から配管１７を通って浴槽１０へもどる。残り湯は、揚水ポンプ１５によってファンコイルと浴槽１０を循環する。浴槽１０の残り湯が冷めるまでの時間、暖房運転ができる。また、入浴前に部屋の室温が水道水温より高く、部屋を冷房運転しても室温に支障のない時、冷房運転することにより、浴槽へ送水する水道水の水温は上昇するので、上昇した分追い焚きの光熱費を削減する。
【図面の簡単な説明】
【０００８】
【図１】ファンコイルの断面図
【図２】熱交換器コイルの斜視図
【図３】本発明の冷房運転の工程図
【図４】本発明の暖房運転の工程図
【図５】本発明の運転の工程図
【符号の説明】
【０００９】  １本体
２熱交換器
３ファンモーター
４ファン
５運転スイッチ
６アルミニュウムフィン
７伝熱管
８冷温水入り口
９冷温水出口
１０浴槽
１１水道蛇口
１２配管
１３配管
１４オーバーブロー防止装置
１５揚水ポンプ
１６配管
１７配管
【図１】
2008202924.tif 000003
【図２】
2008202924.tif 000004
【図３】
2008202924.tif 000005
【図４】
2008202924.tif 000006
【図５】
2008202924.tif 000007